(57)【特許請求の範囲】
【請求項１】
軸筒内に、インキタンク筒を回転することなく前後動可能に配設し、インキタンク筒の先端に、先端部を軸筒に装着したペン芯内に収容してインキ吸入パイプを付設し、インキタンク筒と軸筒の後端に配した尾冠とをねじ嵌合により連接して、尾冠を回転することでインキタンク筒が軸筒に対して前後動可能とし、回転コマをインキタンク筒に連動して前後動可能にかつインキタンク筒に対して回転可能に連接し、回転コマの内部に、インキタンク筒内の空気を排出しインキを吸入するための弁部を設けた吸入棒を、インキタンク筒に対して回転することなくかつ回転コマの回転により前後動可能に回転コマとねじ嵌合により連接して設け、尾冠を回転することによりインキタンク筒が軸筒内を前進してインキ吸入パイプの先端をペン芯より突出し、インキタンク筒の前進が止まって尾冠が後方に繰り出されて尾冠とインキタンク筒との連接が解除し、尾冠と回転コマとの間に設けた尾冠と回転コマを連接する係合手段により尾冠と回転コマが連接して尾冠の回転に伴い回転コマが回転し、回転コマの回転により吸入棒がインキタンク筒内を前進してインキタンク筒内の空気を排出し、尾冠を逆回転させることにより回転コマが逆回転して吸入棒を後退させることによりインキタンク筒内にインキを吸入することを特徴とする吸入式万年筆。
【請求項２】
前記インキタンク筒をコイルスプリングにより軸筒の先端側に付勢し、前記尾冠をコイルスプリングにより後方に付勢してなる請求項１に記載の吸入式万年筆。
【発明の詳細な説明】
【０００１】
【発明の属する技術分野】
本発明は、インキ吸入時にインキを吸入するためのインキ吸入パイプがペンの先端近傍に繰り出されて、インキを吸入する方式の吸入式万年筆に関する。
【０００２】
【従来の技術】
従来、インキ吸入時に尾冠を回転することにより、インキを吸入するためのインキ吸入パイプがペンの先端近傍に繰り出される構造のいわゆる「シュノーケル式」と呼ばれている吸入式万年筆は知られている。こうした吸入式万年筆における吸入動作について図面を用いて簡単に説明すると、図９に示すように、「シュノーケル式」の吸入式万年筆５１は、軸筒５２内にインキを収容するためのゴムチューブ５３を内在させた摺動体５４が、軸筒５２に対し回転することなく摺動可能に配設してある。摺動体５４の前方には、インキ吸入パイプ５５が連接してあり、該インキ吸入パイプ５５を軸筒５２の先端の首部６４に装着したペン芯６０内に挿入してある。インキ吸入パイプ５５内には、インキを保持しかつインキの導入・導出路を形成する内芯５６を挿着してある。軸筒５２の後端には、回転かつ前後動可能に尾冠５７が配設してある。該尾冠５７には、回転コマ５８が尾冠５７に連動して回転かつ前後動可能に連結してあり、回転コマ５８と摺動体５４とはねじ嵌合５９している。
【０００３】
図１０に示すように、尾冠５７を回転させると、該尾冠５７に連接した回転コマ５８も回転し、ねじ嵌合５９した摺動体５４が前進し、ペン芯６０の先端部からインキ吸入パイプ５５が繰り出され、インキ吸入パイプ５５の先端がペン６１の先端近傍に位置する。次に、図１１に示すように、尾冠５７を回転させて摺動体５４とのねじ嵌合５９が解除し、尾冠５７を軸筒５２の後端から後方へ引き出し、尾冠５７を軸筒５２内に押し込むと、軸筒５２内は気密手段（気密パッキン）６２により気密が保たれているので、図１２に示すように、軸筒５２内の空気が圧縮され空気圧が上昇し、インキ吸入パイプ５５の後端に連接したゴムチューブ５３が空気圧で潰れる。さらに尾冠５７を軸筒５２内に押し込むと、図１３に示すように、気密手段６２が回転コマ５８に形成した気密調整部６３に位置し、軸筒５２内の空気圧が逃げゴムチューブ５３が復元する。その際に、インキはゴムチューブ５３内に吸入される。図示してないが、インキを吸入後は、尾冠５７を元の状態に押し込み、前とは逆方向に尾冠５７を回転することにより、インキ吸入パイプ５５はペン芯６０内に収容され元の状態に戻る。
【０００４】
また従来、軸筒の後端に回転可能に配設した尾冠を回転させることにより、尾冠に連接したピストンが尾冠の回転に伴いインキタンク筒内を摺動し、インキをインキタンク筒内に収容するいわゆる「回転式」の吸入式万年筆についてはよく知られている。
【０００５】
【発明が解決しようとする課題】
前者の「シュノーケル式」の吸入式万年筆においては、インキタンク筒がゴムチューブであり該ゴムチューブの復元力でインキを吸入するために、ゴムチューブを利用しない前記回転式の構造等のものに比べてインキ吸入効率が悪いうえに、経時変化によりゴムが劣化し、さらにインキ吸入効率が低下するという問題がある。後者の「回転式」の吸入万年筆においては、インキを吸入するにはペン及びペン芯をインキに浸けて吸入するために、インキがインキ瓶等にある程度の深さ収容されていなければならない。言い換えればインキ瓶等のインキを最後まで吸入することができないという問題がある。また、インキを吸入するために、ペンを深くインキに浸けなければならなく、ペンのみならず場合によっては首部先端をインキで汚してしまうという問題がある。
【０００６】
「シュノーケル式」の吸入万年筆の利点は、「回転式」等の吸入式万年筆に比べて、インキ吸入の際に、ペンを全くインキで汚さないと言うことではないがペンや軸筒の首部等を汚す割合が少ないということである。本発明者は、こうした事実に鑑みて、「回転式」のインキ吸入構造を有する吸入式万年筆に、インキを吸入する際に繰り出すインキを吸入するためのインキ吸入パイプを付設することにより、インキ吸入の際に前述したようなお互いの構造の利点を有する、インキ吸入効率が良く、インキ瓶等に収容されたインキを最後まで吸入でき、インキの吸入の際にペンや軸筒の首部等をインキで汚さないですむ吸入式万年筆を得るものである。
【０００７】
【課題を解決するための手段】
本発明の吸入式万年筆は前記目的を達成するために、軸筒内に、インキタンク筒を回転することなく前後動可能に配設し、インキタンク筒の先端に、先端部を軸筒に装着したペン芯内に収容してインキ吸入パイプを付設し、インキタンク筒と軸筒の後端に配した尾冠とをねじ嵌合により連接して、尾冠を回転することでインキタンク筒が軸筒に対して前後動可能とし、回転コマをインキタンク筒に連動して前後動可能にかつインキタンク筒に対して回転可能に連接し、回転コマの内部に、インキタンク筒内の空気を排出しインキを吸入するための弁部を設けた吸入棒を、インキタンク筒に対して回転することなくかつ回転コマの回転により前後動可能に回転コマとねじ嵌合により連接して設け、尾冠を回転することによりインキタンク筒が軸筒内を前進してインキ吸入パイプの先端をペン芯より突出し、インキタンク筒の前進が止まって尾冠が後方に繰り出されて尾冠とインキタンク筒との連接が解除し、尾冠と回転コマとの間に設けた尾冠と回転コマを連接する係合手段により尾冠と回転コマが連接して尾冠の回転に伴い回転コマが回転し、回転コマの回転により吸入棒がインキタンク筒内を前進してインキタンク筒内の空気を排出し、尾冠を逆回転させることにより回転コマが逆回転して吸入棒を後退させることによりインキタンク筒内にインキを吸入することを特徴とするものである。
【０００８】
本発明において操作性を良好にするために、尾冠の回転によりインキタンク筒を前進させて、インキ吸入パイプの先端をペン芯より突出させるが、より確実にインキタンク筒を前進させるために、コイルスプリングによりインキタンク筒を軸筒の先端側に付勢すると良い。インキタンク筒の前進が止まると尾冠が軸筒の後方側に繰り出されるが、尾冠とインキタンク筒とのねじ嵌合が解除しインキタンク筒と尾冠の連接を解除するが、さらに操作性を向上するために尾冠をコイルスプリングにより軸筒の後方側に付勢すると良い。
【０００９】
本発明において、例えばインキタンク筒の後端に尾冠をねじ嵌合により連接するが、連接とは、尾冠とインキタンク筒の後端とが直接にねじ嵌合により接続しても良いし、尾冠に他の部材を固定し他の部材とインキタンク筒の後端とをねじ嵌合により接続しても良いことを意味する。尾冠が軸筒の後方側に繰り出された際に尾冠と回転コマとが連接する係合手段としては、尾冠又は尾冠に接続した部材に凹部又は凸部を設け、回転コマには前記係合手段に係合する凸部又は凹部を設けて、前記凹部と凸部が係合するものがある。
【００１０】
吸入棒の先端に設けるインキタンク筒内の空気を排出しインキを吸入させるための弁部は、インキタンク筒の内壁面に密接して摺動可能とするが、その形状は適宜決定すればよく特に限定されないが、弁部の後方にインキが流出しないような形状・構造にしなければならない。弁部の材質としては、ゴム、テフロン、テフロン以外のフッ素系樹脂、ポリエチレン系樹脂、ポリプロピレン、ポリアセタール、ナイロン等が使用可能である。
【００１１】
また、本発明において、インキタンク筒の先端にインキ吸入パイプをインキタンク筒に付設するが、インキや空気が漏出しないようにすることが重要である。
【００１２】
【本発明の実施の形態】
本発明の吸入式万年筆の実施の形態を図面を用いて説明する。
本実施の形態の吸入式万年筆において、キャップの構造は従来から知られた一般的な構造のものであり、そのキャップについての説明を省略するが、本発明の吸入式万年筆がキャップを有さない構造に限定されるものではない。
【００１３】
図１〜図８に示す本実施の形態の吸入式万年筆１は、軸筒の胴部２の先端部に連結体３を介して首部４を螺着してある。連結体３の先端に設けた装着孔５に、ペン６及びインキを一時的に溜める櫛溝７を有したペン芯８を装着してある。前記装着孔５の後方には、小径の連絡孔９を設けてあり、その後方の胴部２内にインキを収容するインキタンク筒１０を前後動可能に配設してある。
【００１４】
インキタンク筒１０のペン６側の先端部の外周面には、図２に示すように、周状に等間隔に外方に突出し軸心方向に沿って延びた８個の突状部１１が形成してあり、該突状部１１を連結体３に形成した凹溝１２に係合させて、インキタンク筒１０が連結体３及び胴部２に対して回転することなく前後動可能にしてある。インキタンク筒１０の突状部１１の後端には、外方に突出した鍔部１３を形成してあり、インキタンク筒１０の前後動に伴い前記鍔部１３が胴部２の内壁面に当接しないように、その部分の胴部２内を大径空間部１４としてある。大径空間部１４を構成する後方の段部１５と前記鍔部１３との間には、第１コイルスプリング１６を配設してインキタンク筒１０を前方へ付勢してある。
【００１５】
インキタンク筒１０の先端には、インキ吸入パイプ１８を密栓部材１９によりインキや空気が漏れ出さないように連接してあり、インキタンク筒１０に連動して前後動可能としてある。インキ吸入パイプ１８の先端部は、ペン芯８の中央部に形成した貫通孔１７に挿入してある。また、ペン６等を装着した装着孔５には、インキ吸入パイプ１８の外周面に密接するパッキン２０をペン芯８の後端と連絡孔９を構成する壁面９ａとで挟持して設けてあり、ペン芯８側から胴部２側にインキが逆流しないようにしてある。インキ吸入パイプ１８の内部には、インキを保持しかつインキの導入・導出路であるインキ溝（図示せず）を有した内芯２１を挿着してある。
【００１６】
胴部２の後端には、軸筒に対して回転自在かつ前後動可能に尾冠２２を配設してある。尾冠２２とインキタンク筒１０を連接するために、図３に示すように、尾冠２２の回転及び前後動に伴い回転及び前後動する尾冠第一筒体２３が固着してあり、該尾冠第一筒体２３には尾冠第二筒体２４と凹凸状の係合手段の凹溝２５ａを有する被係合部材２５が固着してある。尾冠２２の回転及び前後動に伴い前記尾冠第二筒体２４と被係合部材２５も連動して回転及び前後動する。インキタンク筒１０は、内部にインキを収容するインキタンク筒前部１０ａとインキタンク筒後部１０ｂとで構成されており、インキタンク筒前部１０ａとインキタンク筒後部１０ｂは固着して一体化してある。尾冠第二筒体２４は、インキタンク筒後部１０ｂにねじ嵌合部２６を設けて連接している。
【００１７】
また、インキタンク筒後部１０ｂの後端部には、凹凸状の係合手段２７により回転コマ２８をインキタンク筒１０の前後動に伴い連動して前後動可能にしてある。回転コマ２８の後端部には、図７に示すように、前記被係合部材２５の凹溝２５ａと係合する凸状部２９ａを有する係合部材２９を固着してあり、尾冠第二筒体２４とインキタンク筒後部１０ｂのねじ嵌合が外れて尾冠２２が胴部２の後端より後方に突出した際に、前記被係合部材２５と係合部材２９が係合可能としてある。回転コマ２８の内部には、インキタンク筒前部１０ａ内を摺動して空気を排出しインキを吸入するためのラバーで形成した弁部３０を先端に設けた吸入棒３１を配設してあり、該吸入棒３１は回転コマ２８とねじ嵌合部３２を設けて連接し、回転コマ２８の回転に対して前後動可能に設けてある。
【００１８】
尾冠第二筒体２４には外方に突出した鍔部３３を設けてあり、該鍔部３３とインキタンク筒１０の後端部との間には第２コイルスプリング３４を配設してあり、尾冠第二筒体２４とインキタンク筒後部１０ｂのねじ嵌合２６が外れると尾冠２２を後方へ付勢するようにしてある。尾冠２２の前端にはリング３５が装着してあり、胴部２の後端には胴リング体３６が装着してある。
【００１９】
次に、インキを吸入する際の吸入動作について説明する。
先ず、図１に示す状態の吸入式万年筆１の尾冠２２を例えば左回転すると、尾冠２２に尾冠第一筒体２３を介して連接した尾冠第二筒体２４も左回転し、該尾冠第二筒体２４にねじ嵌合したインキタンク筒１０は、図２に示す連結体３との係合により回転することなく第１コイルスプリング１６のペン６側への付勢により胴部２内を前進する。それにより、図４に示すように、インキタンク筒１０の先端に連接したインキ吸入パイプ１８がペン芯８の先端部から突出する。
【００２０】
インキタンク筒１０が前進して、先端が連絡孔９を構成する壁面９ａに当接すると、図５に示すように、今度は、尾冠第二筒体２４、被係合部材２５、尾冠第一筒体２３及び尾冠２２が後方へ移動し、図６に示すように、尾冠第二筒体２４とインキタンク筒１０のねじ嵌合が外れ、第２コイルスプリング３４の付勢により尾冠２２は後方へ押し出される。その際に、図７に示すように、被係合部材２５が回転コマ２８に固着した係合部材２９に係合することにより、尾冠２２の回転にともない回転コマ２８も回転可能となる。
【００２１】
その状態でさらに尾冠２２を左回転すると回転コマ２８も回転し、回転コマ２８にねじ嵌合部３２を設けて連接した吸入棒３１も回転する。吸入棒３１は、弁部３０がインキタンク筒１０の内壁面への圧接しているために回転せず、図８に示すように、インキタンク筒１０内をペン芯８側へ摺動し、インキタンク筒１０内の空気を排出する。
【００２２】
図示していないが、尾冠２２を右回転すると吸入棒３１は後退し、インキを吸入する。吸入作動終了後は、尾冠２２を胴部２側へ押しながら右回転し、前記被係合部材２５と係合部材２９の係合を解除し、尾冠第二筒体２４とインキタンク筒１０のねじ嵌合を行う。さらに尾冠２２を右回転して、インキタンク筒１０を後退しインキ吸入パイプ１８をペン芯８内に没入し、元の状態に戻す。なお、筆記時におけるインキの流れは、インキタンク筒１０からインキ吸入パイプ１８に導出し、インキ吸入パイプ１８内に設けた内芯２１によりペン芯８側へ流出し、インキ吸入パイプ１８の先端部分に形成した切欠溝（図示せず）により、ペン芯８にインキが導出しペン６にインキが供給される。
【００２３】
【発明の効果】
本発明の吸入式万年筆は、インキ吸入時にインキ吸入パイプがペン芯より繰り出してインキを吸入するので、インキ瓶等に収容されたインキを最後まで吸入でき、また、ペンをインキに浸けて吸入する必要がないために、ペンや軸筒の首部がインキで汚すということがない。また、ゴムチューブの復元力によりインキを吸入するのではなく、従来知られている、尾冠を回転して、インキタンク筒内に先端に弁部を有した吸入棒を前後動させることによりインキを吸入するいわゆる回転式のインキ吸入構造なので、インキ吸入効率が良い。構造も従来の回転式のインキ吸入構造を基とするものであり、複雑な構造を要しないで得られるという利点がある。
【図面の簡単な説明】
【図１】本発明の実施の形態を示す、吸入式万年筆の縦端面図である。
【図２】図１における、Ｉ−Ｉ線部分の横端面図である。
【図３】図１における、要部の拡大図である。
【図４】本実施の形態の吸入式万年筆におけるインキ吸入動作を示す図で、インキ吸入パイプが突出した状態を示す図である。
【図５】本実施の形態の吸入式万年筆におけるインキ吸入動作を示す図で、尾冠が後方突出した状態を示す図である。
【図６】本実施の形態の吸入式万年筆におけるインキ吸入動作を示す図で、尾冠の回転にともない回転コマも回転する状態を示す図である。
【図７】図６における、ＩＩ−ＩＩ線部分の横端面図である。
【図８】本実施の形態の吸入式万年筆におけるインキ吸入動作を示す図で、尾冠の回転にともないインキ吸入棒が前進した状態を示す図である。
【図９】従来の吸入式万年筆の縦端面図である。
【図１０】従来の吸入式万年筆におけるインキ吸入動作を示す図で、インキ吸入パイプが突出した状態を示す図である。
【図１１】従来の吸入式万年筆におけるインキ吸入動作を示す図で、尾冠を後方へ繰り出した状態を示す図である。
【図１２】従来の吸入式万年筆におけるインキ吸入動作を示す図で、尾冠を軸筒内に戻した際にゴムチューブが空気圧で押し潰された状態を示す図である。
【図１３】従来の吸入式万年筆におけるインキ吸入動作を示す図で、さらに尾冠を軸筒内に戻すことにより軸筒内に空気圧が逃げ、ゴムチューブが元の状態に戻りインキを吸入する状態を示す図である。
【符号の説明】
１  吸入式万年筆
２  胴部
８  ペン芯
１０  インキタンク筒
１６  第１コイルスプリング
１８  インキ吸入パイプ
２２  尾冠
２３  尾冠第一筒体
２４  尾冠第二筒体
２５  被係合部材
２６  ねじ嵌合部
２７  係合手段
２８  回転コマ
２９  係合部材
３０  弁部
３１  吸入棒
３２  ねじ嵌合部
３４  第２コイルスプリング
【図１】
0004588899.tif 000002
【図２】
0004588899.tif 000003
【図３】
0004588899.tif 000004
【図４】
0004588899.tif 000005
【図５】
0004588899.tif 000006
【図６】
0004588899.tif 000007
【図７】
0004588899.tif 000008
【図８】
0004588899.tif 000009
【図９】
0004588899.tif 000010
【図１０】
0004588899.tif 000011
【図１１】
0004588899.tif 000012
【図１２】
0004588899.tif 000013
【図１３】
0004588899.tif 000014